(57)【要約】【課題】干渉縞を実質的に解消することが可能な液晶表示装置を提供する。【解決手段】この液晶表示装置（ＬＣＤユニット１ ）は、表示パネル４と、表示パネル４に光を照射するためのＬＥＤ８と、ＬＥＤ８から照射される光を、表示パネル４に向かって集光させるプリズムシート１１および１２と、プリズムシート１２と表示パネル４との間に配置される拡散シート１３とを備える。また、プリズムシート１１は、平面的に見て四角形状の外形線１１ａの所定の１辺１１ｂと実質的に平行な方向に延びるプリズム部１１ｃを有する。また、プリズムシート１２は、平面的に見て四角形状の外形線１２ａの所定の１辺１２ｂと実質的に垂直な方向に延びるプリズム部１２ｃを有する。また、拡散シート１３は、表示パネル４と、プリズムシート１１および１２とを透過する光が干渉することにより生じる干渉縞（モアレ）を実質的に解消することが可能な拡散機能を有する。【選択図】図３
2006208869.tif 000002
【特許請求の範囲】
【請求項１】
表示パネルと、
前記表示パネルに光を照射するためのバックライト用光源と、
平面的に見て四角形状の外形線を有するとともに、前記外形線の所定の１辺と実質的に平行または垂直な方向に延びるプリズム部を有するように形成され、前記バックライト用光源から照射される光を、前記表示パネルに向かって集光させるプリズムシートと、
前記プリズムシートと前記表示パネルとの間に配置され、前記表示パネルおよび前記プリズムシートを透過する光が干渉することにより生じる干渉縞を実質的に解消することが可能な拡散機能を有する第１拡散シートとを備えた、液晶表示装置。
【請求項２】
前記バックライト用光源から照射される光を、前記表示パネルの方向に導くための導光板と、
前記導光板と前記プリズムシートとの間に配置され、前記バックライト用光源から前記導光板を介して照射される光を前記プリズムシートに向かって均一に拡散させるための第２拡散シートとをさらに備え、
前記第１拡散シートの拡散機能は、前記第２拡散シートの拡散機能以下である、請求項１に記載の液晶表示装置。
【請求項３】
前記第１拡散シートは、前記第２拡散シートの厚み以下の厚みを有する、請求項２に記載の液晶表示装置。
【請求項４】
前記第１拡散シートは、前記表示パネルおよび前記プリズムシートを透過する光が干渉することにより生じる干渉縞を実質的に解消することが可能な拡散シートの中で、実質的に最も小さい拡散機能を有する拡散シートである、請求項１〜３のいずれか１項に記載の液晶表示装置。
【請求項５】
前記第１拡散シートと前記表示パネルとの間には、前記第１拡散シートと前記表示パネルとを接着するための接着部材が設けられており、
前記接着部材は、前記第１拡散シートから前記表示パネルの表示領域以外の領域に向かって照射される光を遮光する機能を有する、請求項１〜４のいずれか１項に記載の液晶表示装置。
【請求項６】
前記プリズムシートは、前記外形線の所定の１辺と実質的に平行な方向に所定の間隔を隔てて延びる第１プリズム部を有する第１プリズムシートと、前記外形線の所定の１辺と実質的に垂直な方向に所定の間隔を隔てて延び、かつ、前記第１プリズム部に対して実質的に直交するように配置される第２プリズム部を有する第２プリズムシートとを含み、
前記第１拡散シートは、前記第１プリズムシート、前記第２プリズムシートおよび前記表示パネルを透過する光が干渉することにより生じる干渉縞を実質的に解消することが可能な拡散機能を有する、請求項１〜５のいずれか１項に記載の液晶表示装置。
【請求項７】
前記バックライト用光源は、前記導光板の側端部側に配置される発光ダイオードを含み、
前記第１拡散シートは、前記発光ダイオードから前記導光板を介して照射される光が、前記表示パネルおよび前記プリズムシートを透過して干渉することにより生じる干渉縞を実質的に解消することが可能な拡散機能を有する、請求項１〜６のいずれか１項に記載の液晶表示装置。
【発明の詳細な説明】
【技術分野】
【０００１】
この発明は、液晶表示装置に関し、特に、プリズムシートを備えた液晶表示装置に関する。
【背景技術】
【０００２】
従来、プリズムシートを備えた液晶表示装置が知られている（たとえば、特許文献１参照）。上記特許文献１には、バックライト装置から照射される光を集光するための２枚のプリズムシートと液晶セル（表示パネル）とを備えた液晶表示装置が開示されている。この特許文献１に開示された液晶表示装置では、２枚のプリズムシートの断面三角形状のプリズム部の稜線が互いに直交するように配置されており、プリズム部の頂角、ピッチおよびプリズムシートの屈折率を変えることによって、プリズムシートから出射される光の出射角度を調整している。
【０００３】
図６は、従来の一例によるＬＣＤ（Ｌｉｑｕｉｄ  Ｃｒｙｓｔａｌ  Ｄｉｓｐｌａｙ）ユニットを示した斜視図である。図７は、図６の３００−３００線に沿った断面図である。図８は、図６に示した従来のＬＣＤユニットの分解斜視図である。図６〜図８を参照して、従来のＬＣＤユニット１００の構造について説明する。
【０００４】
従来のＬＣＤユニット１００は、図６に示すように、金属製の上側フレーム１０１および下側フレーム１０２と、上側フレーム１０１および下側フレーム１０２の内部に配置される表示パネル１０３と、パネル用フレキシブルプリント配線板（パネル用ＦＰＣ）１０４とを備えている。
【０００５】
また、金属製の下側フレーム１０２は、図８に示すように、底面部１０２ａと、底面部１０２ａの４辺から上方向に延びるように形成される４つの側面部１０２ｂとを含んでいる。この側面部１０２ｂには、複数の突起部１０２ｃが外側に向かって突出するように設けられている。また、パネル用ＦＰＣ１０４が配置される側の下側フレーム１０２の側面部１０２ｂには、切欠部１０２ｄが形成されている。また、図７および図８に示すように、下側フレーム１０２の底面部１０２ａの上側には、反射シート１０５が配置されている。また、反射シート１０５の上側には、底部に開口部１０６ａを有する樹脂製フレーム１０６が設けられている。この樹脂製フレーム１０６の下側フレーム１０２の切欠部１０２ｄに対応する部分には、パネル用ＦＰＣ１０４が挿入されるＦＰＣ挿入部１０６ｂが形成されている。
【０００６】
また、樹脂製フレーム１０６の内部には、下から順番に、発光ダイオード（ＬＥＤ）１０７から照射される光を表示パネル１０３の全体に導くための導光板１０８と、拡散シート１０９と、プリズムシート１１０および１１１とが配置されている。この拡散シート１０９は、導光板１０８からの光を上側に透過するとともに、拡散する機能を有している。また、プリズムシート１１０および１１１は、拡散シート１０９により拡散された光を上側に透過するとともに、集光する機能を有する。このプリズムシート１１０および１１１は、図８に示すように、平面的に見て四角形状の外形線１１０ａおよび１１１ａを有している。また、プリズムシート１１０には、プリズムシート１１０の外形線１１０ａの１辺１１０ｂと実質的に平行な方向（図８のＡ方向）に延びるプリズム部１１０ｃが設けられている。このプリズム部１１０ｃは、所定の間隔を隔てて複数形成されている。また、プリズムシート１１１には、プリズムシート１１１の外形線１１１ａの１辺１１１ｂと実質的に垂直な方向（図８のＢ方向）に延びるプリズム部１１１ｃが設けられている。このプリズム部１１１ｃは、所定の間隔を隔てて複数形成されている。また、プリズムシート１１０および１１１は、平面的に見て、プリズムシート１１０のプリズム部１１０ｃおよびプリズムシート１１１のプリズム部１１１ｃが、互いに直交する方向に延びるように配置されている。
【０００７】
また、図７に示すように、導光板１０８の上面には、図示しない両面テープによりバックライト用フレキシブルプリント配線板（バックライト用ＦＰＣ）１１２が取り付けられる。このバックライト用ＦＰＣ１１２には、樹脂製フレーム１０６のＦＰＣ挿入部１０６ｂから外側に突出するようにコネクタ差込部１１２ａ（図８参照）が設けられている。また、バックライト用ＦＰＣ１１２には、図８に示すように、導光板１０８に光を照射するＬＥＤ１０７が複数取り付けられている。
【０００８】
また、図７および図８に示すように、プリズムシート１１１の上側には、表示パネル１０３が配置されている。この表示パネル１０３は、下側偏光板１１３と、下側ガラス基板１１４および上側ガラス基板１１５と、上側偏光板１１６とから構成されている。また、表示パネル１０３には、図示しない画素がマトリクス状に配列されている。
【０００９】
また、下側ガラス基板１１４の突出部１１４ａの上面には、表示パネル１０３を駆動するための駆動ＩＣ（Ｉｎｔｅｇｒａｔｅｄ  Ｃｉｒｃｕｉｔ）１１７およびパネル用ＦＰＣ１０４が取り付けられている。また、パネル用ＦＰＣ１０４は、駆動ＩＣ１１７に電気的に接続されている。
【００１０】
また、パネル用ＦＰＣ１０４の外側に突出した部分には、図８に示すように、複数の電子部品１１８が取り付けられる電子部品取付部１０４ａが設けられている。また、電子部品取付部１０４ａには、バックライト用ＦＰＣ１１２のコネクタ差込部１１２ａが接続されるコネクタ部１１９が取り付けられている。また、電子部品取付部１０４ａの先端側には、コネクタ差込部１０４ｂが設けられている。
【００１１】
また、図７および図８に示すように、上側偏光板１１６の上側には、金属製の上側フレーム１０１が配置されている。この上側フレーム１０１は、開口部１０１ａを有する上面部１０１ｂと、上面部１０１ｂの４辺から下方向に延びるように形成される側面部１０１ｃとを含んでいる。この上側フレーム１０１の開口部１０１ａは、表示パネル１０３の表示領域に対応する部分に設けられている。また、上側フレーム１０１の側面部１０１ｃには、下側フレーム１０２の複数の突起部１０２ｃが挿入される複数の挿入孔１０１ｄが設けられている。また、側面部１０１ｃには、下側フレーム１０２の切欠部１０２ｄに対応する位置に切欠部１０１ｅが設けられている。この下側フレーム１０２の切欠部１０２ｄおよび上側フレーム１０１の切欠部１０１ｅによって構成される開口部を介して、図６に示すように、パネル用ＦＰＣ１０４およびバックライト用ＦＰＣ１１２が、外部に突出するように配置されている。
【００１２】
【特許文献１】特開２００１−２９０１４２号公報
【発明の開示】
【発明が解決しようとする課題】
【００１３】
図６〜図８に示した従来のＬＣＤユニット１００では、プリズムシート１１０を透過した光は、プリズムシート１１０に設けられたプリズム部１１０ｃと同じ間隔を有する明暗の縞を含んだ状態で、プリズムシート１１０の上側に配置されるプリズムシート１１１に向かって進行する。そして、明暗の縞を含んだ光は、プリズムシート１１１のプリズム部１１１ｃを通過する際に、干渉されて、明暗の干渉縞（モアレ）を含む。これにより、この明暗の干渉縞を含む光が、表示パネル１０３を透過する際に、表示パネル１０３のマトリクス状に配置される画素（図示せず）と干渉するため、プリズム部１１０ｃおよび１１１ｃの間隔や、表示パネル１０３の画素の間隔とは異なる間隔を有する明暗の干渉縞（モアレ）が、表示パネル１０３に生じるという問題点があった。
【００１４】
また、上記特許文献１に開示された液晶表示装置では、バックライト装置から照射され、２枚のプリズムシートを透過した光は、図６〜図８に示した従来のＬＣＤユニット１００と同様に、プリズムシートのプリズム部とは異なる間隔を有する明暗の干渉縞（モアレ）を含んだ状態で、液晶セルに向かって進行する。これにより、この明暗の干渉縞を含む光が、液晶セルを透過する際に、通常マトリクス状に配列される液晶セルの画素と干渉するため、プリズム部の間隔や液晶セルの画素の間隔とは異なる間隔を有する明暗の干渉縞が、液晶セルに生じるという問題点がある。
【００１５】
この発明は、上記のような課題を解決するためになされたものであり、この発明の１つの目的は、干渉縞を実質的に解消することが可能な液晶表示装置を提供することである。
【課題を解決するための手段および発明の効果】
【００１６】
上記目的を達成するために、この発明の一の局面による液晶表示装置は、表示パネルと、表示パネルに光を照射するためのバックライト用光源と、平面的に見て四角形状の外形線を有するとともに、外形線の所定の１辺と実質的に平行または垂直な方向に延びるプリズム部を有するように形成され、バックライト用光源から照射される光を、表示パネルに向かって集光させるプリズムシートと、プリズムシートと表示パネルとの間に配置され、表示パネルおよびプリズムシートを透過する光が干渉することにより生じる干渉縞を実質的に解消することが可能な拡散機能を有する第１拡散シートとを備える。
【００１７】
この一の局面による液晶表示装置では、上記のように、プリズムシートと表示パネルとの間に、表示パネルおよびプリズムシートを透過する光が干渉することにより生じる干渉縞を実質的に解消することが可能な拡散機能を有する第１拡散シートを設けることによって、プリズムシートを透過した光が、プリズムシートのプリズム部を透過することにより、明暗の干渉縞（モアレ）を含んだ状態で、表示パネルに向かって進行する場合でも、この明暗の干渉縞を含んだ光を、明暗の差を減少させるように拡散させることができる。これにより、明暗の差が減少された光を、表示パネルに配列される画素に透過させることができるので、表示パネルに干渉縞が形成されるのを実質的に解消することができる。また、プリズムシートと表示パネルとの間に第１拡散シートを配置することによって、プリズムシートを透過した光を表示パネルに向かって拡散させることができるので、観察側から表示パネルを見る際の視野角度を広げることができる。
【００１８】
上記一の局面による液晶表示装置において、好ましくは、バックライト用光源から照射される光を、表示パネルの方向に導くための導光板と、導光板とプリズムシートとの間に配置され、バックライト用光源から導光板を介して照射される光をプリズムシートに向かって均一に拡散させるための第２拡散シートとをさらに備え、第１拡散シートの拡散機能は、第２拡散シートの拡散機能以下である。このように構成すれば、プリズムシートにより、表示パネルの方向に向かうように集光された光が第１拡散シートにより拡散されすぎるのを抑制することができる。その結果、表示パネルに向かって進行する光を拡散させたとしても、光の輝度が低下するのを抑制することができる。
【００１９】
上記２枚の拡散シートを備える液晶表示装置において、好ましくは、第１拡散シートは、第２拡散シートの厚み以下の厚みを有する。このように構成すれば、表示パネルに発生する干渉縞を実質的に解消するために第１拡散シートを追加したとしても、液晶表示装置全体の厚みが大きくなるのを抑制することができる。
【００２０】
上記一の局面による液晶表示装置において、好ましくは、第１拡散シートは、表示パネルおよびプリズムシートを透過する光が干渉することにより生じる干渉縞を実質的に解消することが可能な拡散シートの中で、実質的に最も小さい拡散機能を有する拡散シートである。このように構成すれば、既存の拡散シートの中で拡散機能が最も小さい拡散シートを用いることにより、表示パネルに生じる干渉縞を実質的に解消することができる。その結果、プリズムシートを透過して、表示パネルに向かって進行する光を第１拡散シートにより拡散させたとしても、表示パネルから出射される光の輝度が低下するのを抑制することができる。
【００２１】
上記一の局面による液晶表示装置において、好ましくは、第１拡散シートと表示パネルとの間には、第１拡散シートと表示パネルとを接着するための接着部材が設けられており、接着部材は、第１拡散シートから表示パネルの表示領域以外の領域に向かって照射される光を遮光する機能を有する。このように構成すれば、プリズムシートを透過するとともに第１拡散シートにより拡散された光が、表示パネルの表示領域以外の領域に進行しようとする場合でも、接着部材により、拡散された光を遮光することができる。その結果、光が入射することによって誤動作が生じる恐れのある電子部品に、光が入射するのを抑制することができる。
【００２２】
上記一の局面による液晶表示装置において、好ましくは、プリズムシートは、外形線の所定の１辺と実質的に平行な方向に所定の間隔を隔てて延びる第１プリズム部を有する第１プリズムシートと、外形線の所定の１辺と実質的に垂直な方向に所定の間隔を隔てて延び、かつ、第１プリズム部に対して実質的に直交するように配置される第２プリズム部を有する第２プリズムシートとを含み、第１拡散シートは、第１プリズムシート、第２プリズムシートおよび表示パネルを透過する光が干渉することにより生じる干渉縞を実質的に解消することが可能な拡散機能を有する。このように構成すれば、第１プリズムシートおよび第２プリズムシートを透過した光が、第１プリズムシートおよび第２プリズムシートの所定の間隔を隔てて形成される第１プリズム部および第２プリズム部を透過することにより、明暗の干渉縞（モアレ）を含んだ状態で、表示パネルに向かって進行する場合でも、この明暗の干渉縞を含んだ光を、第１拡散シートにより、明暗の差を減少させるように拡散させることができる。これにより、明暗の差が減少された光を、表示パネルに配列される画素に透過させることができるので、表示パネルに干渉縞が形成されるのを実質的に解消することができる。
【００２３】
上記一の局面による液晶表示装置において、好ましくは、バックライト用光源は、導光板の側端部側に配置される発光ダイオードを含み、第１拡散シートは、発光ダイオードから導光板を介して照射される光が、表示パネルおよびプリズムシートを透過して干渉することにより生じる干渉縞を実質的に解消することが可能な拡散機能を有する。このように構成すれば、発光ダイオードから照射され、導光板を介して、プリズムシートを透過した光が、プリズムシートの所定の間隔を隔てて形成されるプリズム部を透過することにより、明暗の干渉縞（モアレ）を含んだ状態で、表示パネルに向かって進行する場合でも、この明暗の干渉縞を含んだ光を、明暗の差を減少させるように拡散することができる。これにより、明暗の差が減少された光を、表示パネルに配列される画素に透過させることができるので、表示パネルに干渉縞が形成されるのを実質的に解消することができる。
【発明を実施するための最良の形態】
【００２４】
以下、本発明を具体化した実施形態を図面に基づいて説明する。
【００２５】
図１は、本発明の一実施形態によるＬＣＤユニットを示した斜視図である。図２は、図１の２００−２００線に沿った断面図である。図３は、図１に示した本発明の一実施形態によるＬＣＤユニットの分解斜視図である。図４および図５は、図１に示した本発明の一実施形態によるＬＣＤユニットの詳細構造を説明するための図である。図１〜図５を参照して、本発明の一実施形態によるＬＣＤユニット１の構造について説明する。なお、本実施形態では、本発明の液晶表示装置をＬＣＤユニット１に適用した例について説明する。
【００２６】
本発明の一実施形態によるＬＣＤユニット１は、図１に示すように、金属製の上側フレーム２および下側フレーム３と、上側フレーム２および下側フレーム３の内部に配置される表示パネル４と、パネル用フレキシブルプリント配線板（パネル用ＦＰＣ）５とを備えている。
【００２７】
また、金属製の下側フレーム３は、図３に示すように、底面部３ａと、底面部３ａの４辺から上方向に延びるように形成される４つの側面部３ｂとを含んでいる。この側面部３ｂには、複数の突起部３ｃが外側に向かって突出するように設けられている。また、パネル用ＦＰＣ５が配置される側の下側フレーム３の側面部３ｂには、切欠部３ｄが形成されている。また、下側フレーム３の底面部３ａの上側には、反射シート６が配置されている。また、反射シート６の上側には、底部に開口部７ａを有する樹脂製フレーム７が設けられている。この樹脂製フレーム７の下側フレーム３の切欠部３ｄに対応する部分には、パネル用ＦＰＣ５が挿入されるＦＰＣ挿入部７ｂが形成されている。
【００２８】
また、樹脂製フレーム７の内部には、図２および図３に示すように、下から順番に、後述するＬＥＤ８からの光を表示パネル４の全体に導くための導光板９と、拡散シート１０と、プリズムシート１１および１２とが配置されている。なお、拡散シート１０は、本発明の「第２拡散シート」の一例である。また、プリズムシート１１は、本発明の「第１プリズムシート」の一例であり、プリズムシート１２は、本発明の「第２プリズムシート」の一例である。また、拡散シート１０は、ＬＥＤ８から導光板９を介して照射される光をプリズムシート１１および１２に向かって均一に拡散させる機能を有している。また、拡散シート１０は、約８０％〜約９０％のヘイズ率を有している。なお、ヘイズ率とは、試験片を通過する透過光のうち散乱によって、入射光から２．５°以上それた透過光の百分率で表わされる。また、ヘイズ率は、本発明の「拡散機能」を表わす指標として用いている。また、拡散シート１０は、図２に示すように、ｔ１の厚みを有している。
【００２９】
また、プリズムシート１１および１２は、導光板９からの光を上側に透過するとともに、集光する機能を有する。このプリズムシート１１および１２は、図３に示すように、平面的に見て四角形状の外形線１１ａおよび１２ａを有している。また、プリズムシート１１には、プリズムシート１１の外形線１１ａの１辺１１ｂと実質的に平行な方向（図３のＣ方向）に延びる断面三角形状のプリズム部１１ｃが設けられている。また、プリズム部１１ｃは、図３に示すように、Ｄ１の間隔を隔てて複数形成されている。また、プリズムシート１２には、図３および図４に示すように、プリズムシート１２の外形線１２ａの１辺１２ｂと実質的に垂直な方向（図３および図４のＤ方向）に延びる断面三角形状のプリズム部１２ｃが設けられている。また、プリズム部１２ｃは、プリズム部１１ｃと同様に、Ｄ１の間隔を隔てて複数形成されている。このように、平面的に見て、プリズムシート１１のプリズム部１１ｃの延びる方向（図３のＣ方向）と、プリズムシート１２のプリズム部１２ｃの延びる方向（図３および図４のＤ方向）とが実質的に直交するように、プリズムシート１１および１２を配置することによって、拡散シート１０により拡散される光の集光効率を向上させることが可能となる。なお、プリズム部１１ｃは、本発明の「第１プリズム部」の一例であり、プリズム部１２ｃは、本発明の「第２プリズム部」の一例である。
【００３０】
ここで、本実施形態では、図２および図３に示すように、プリズムシート１２と表示パネル４との間には、ＰＥＴ（ポリエチレンテレフタレート）製の拡散シート１３が配置されている。なお、拡散シート１３は、本発明の「第１拡散シート」の一例である。この拡散シート１３中には、拡散材としてのアクリル樹脂からなるビーズが含まれている。また、拡散シート１３は、ＬＥＤ８から導光板９を介して照射される光が、プリズムシート１１および１２と、表示パネル４とを透過して干渉することにより生じる干渉縞（モアレ）を実質的に解消することが可能な拡散機能（ヘイズ率：約４６％）を有している。この拡散シート１３は、プリズムシート１１および１２と表示パネル４とを透過して干渉することにより生じる干渉縞（モアレ）を実質的に解消することが可能なヘイズ率を有する市販されている拡散シートの中で、最も小さい拡散機能（ヘイズ率：約４６％）を有する拡散シート１３が用いられる。また、拡散シート１３は、拡散シート１０のヘイズ率（約８０％〜約９０％）よりも小さいヘイズ率（約４６％）を有している。また、拡散シート１３は、図２に示すように、拡散シート１０の厚みｔ１よりも小さい厚みｔ２を有している。これにより、表示パネル４に生じる干渉縞（モアレ）を実質的に解消するために拡散シート１３を追加したとしても、ＬＣＤユニット１の全体の厚みが大きくなるのを抑制することが可能となる。
【００３１】
また、図２に示すように、導光板９の上面には、図示しない両面テープによりバックライト用フレキシブルプリント配線板（バックライト用ＦＰＣ）１４が取り付けられている。このバックライト用ＦＰＣ１４には、樹脂製フレーム７のＦＰＣ挿入部７ｂから外側に突出するように延びる外部接続部が設けられているとともに、その外部接続部の先端部分には、コネクタ差込部１４ａ（図３参照）が設けられている。また、図３に示すように、バックライト用ＦＰＣ１４には、導光板９に光を照射するＬＥＤ８が複数（本実施形態では４個）取り付けられている。また、４個のＬＥＤ８は、導光板９に向かって光を照射するように配置されている。なお、ＬＥＤ８は、本発明の「バックライト用光源」の一例である。
【００３２】
また、本実施形態では、拡散シート１３と表示パネル４との間には、拡散シート１３と表示パネル４とを接着させるための遮光機能を有する接着部材１５が接着されている。この接着部材１５は、拡散シート１３の縁部に沿った周辺部分を覆うように接着されており、表示パネル４の表示領域に対応する部分に開口部１５ａが設けられている。
【００３３】
また、拡散シート１３および接着部材１５の上側には、図２および図３に示すように、表示パネル４が配置されている。この表示パネル４は、下側偏光板１６と、下側ガラス基板１７および上側ガラス基板１８と、上側偏光板１９とから構成されている。また、表示パネル４の各画素４ａは、図５に示すように、画素４ａが互いに半画素分ずれた位置に配列されるデルタ配列になるように配列されている。この表示パネル４の画素４ａは、それぞれ、Ｄ２（約１０μｍ〜約７０μｍ）×Ｄ３（約３０μｍ〜約１５０μｍ）の大きさを有している。また、下側ガラス基板１７と上側ガラス基板１８との間には、液晶が封入されている。また、下側ガラス基板１７には、薄膜トランジスタ（図示せず）が形成されている。
【００３４】
また、図２および図３に示すように、下側ガラス基板１７の突出部１７ａの上面には、表示パネル４を駆動するための駆動ＩＣ２０およびパネル用ＦＰＣ５が取り付けられている。また、パネル用ＦＰＣ５は、駆動ＩＣ２０に電気的に接続されている。
【００３５】
また、パネル用ＦＰＣ５の外側に突出した部分には、図２に示すように、複数の電子部品２１が取り付けられる電子部品取付部５ａが設けられている。また、電子部品取付部５ａには、バックライト用ＦＰＣ１４のコネクタ差込部１４ａが接続されるコネクタ部２２が取り付けられている。また、電子部品取付部５ａの先端側には、コネクタ差込部５ｂが設けられている。
【００３６】
また、上側偏光板１９の上側には、図２に示すように、金属製の上側フレーム２が配置されている。この上側フレーム２は、図３に示すように、開口部２ａを有する上面部２ｂと、上面部２ｂの４辺から下方向に延びるように形成される４つの側面部２ｃとを含んでいる。この上側フレーム２の開口部２ａは、表示パネル４の表示領域に対応する部分に設けられている。また、上側フレーム２の側面部２ｃには、下側フレーム３の複数の突起部３ｃが挿入される複数の挿入孔２ｄが設けられている。また、側面部２ｃには、下側フレーム３の切欠部３ｄに対応する位置に切欠部２ｅが設けられている。この下側フレーム３の切欠部３ｄおよび上側フレーム２の切欠部２ｅによって構成される開口部を介して、図１に示すように、パネル用ＦＰＣ５およびバックライト用ＦＰＣ１４が、外部に突出するように配置されている。
【００３７】
本実施形態では、上記のように、プリズムシート１２と表示パネル４との間に、表示パネル４と、プリズムシート１１および１２とを透過する光が干渉することにより生じる干渉縞（モアレ）を実質的に解消することが可能な拡散機能を有する拡散シート１３を設けることによって、プリズムシート１１および１２を透過した光が、プリズムシート１１および１２のプリズム部１１ｃおよび１２ｃを透過することにより、明暗の干渉縞を含んだ状態で、表示パネル４に向かって進行する場合でも、この明暗の干渉縞を含んだ光を、明暗の差を減少させるように拡散させることができる。これにより、明暗の差が減少された光を、表示パネル４の各画素４ａに透過させることができるので、表示パネル４に明暗の干渉縞（モアレ）が形成されるのを実質的に解消することができる。
【００３８】
また、本実施形態では、プリズムシート１２と表示パネル４との間に拡散シート１３を配置することによって、プリズムシート１１および１２を透過した光を表示パネル４に向かって拡散させることができるので、観察側から表示パネル４を見る際の視野角度を広げることができる。
【００３９】
また、本実施形態では、拡散シート１３のヘイズ率（約４６％）を、第２拡散シートのヘイズ率（約８０％〜約９０％）よりも小さくすることによって、プリズムシート１１および１２により、表示パネル４の方向に向かうように集光された光が拡散シート１３により拡散されすぎるのを抑制することができる。その結果、表示パネル４に向かって進行する光を拡散させたとしても、光の輝度が低下するのを抑制することができる。
【００４０】
また、本実施形態では、拡散シート１３と表示パネル４との間に、拡散シート１３と表示パネル４とを接着させるための接着部材１５を設けるとともに、接着部材１５に、拡散シート１３から表示パネル４の表示領域以外の領域に向かって照射される光を遮光させることによって、プリズムシート１１および１２を透過するとともに拡散シート１３により拡散された光が、表示パネル４の表示領域以外の領域に進行しようとする場合でも、接着部材１５により、拡散された光を遮光することができる。その結果、光が入射することによって誤動作が生じる恐れのある駆動ＩＣ２０に、光が入射するのを抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、外形線の所定の１辺に平行または垂直な方向に延びるプリズム部を有するプリズムシートを２枚設ける例を示したが、本発明はこれに限らず、外形線の所定の１辺に平行または垂直な方向に延びるプリズム部を有するプリズムシートを１枚のみ設けてもよい。
【００４３】
また、上記実施形態では、拡散シート１３のヘイズ率（約４６％）を、拡散シート１０のヘイズ率（約８０％〜約９０％）より小さくする例を示したが、本発明はこれに限らず、拡散シート１３のヘイズ率を、拡散シート１０のヘイズ率より大きくしてもよいし、拡散シート１０のヘイズ率と同じにしてもよい。この場合、拡散シート１３としては、表示パネルに生じる干渉縞（モアレ）を解消するヘイズ率を有するものを選ぶ必要がある。
【００４４】
また、上記実施形態では、プリズムシート１２と表示パネル４との間に配置される拡散シート１３の厚みｔ２を、導光板９とプリズムシート１１との間に配置される拡散シート１０の厚みｔ１より小さくする例を示したが、本発明はこれに限らず、拡散シート１３の厚みを、拡散シート１０の厚みより大きくしてもよいし、拡散シート１０の厚みと同じにしてもよい。
【００４５】
また、上記実施形態では、バックライト光源としてＬＥＤ（発光ダイオード）を設ける例を示したが、本発明はこれに限らず、バックライト光源として陰極管などの光源を用いてもよい。
【００４６】
また、上記実施形態では、ＬＥＤを４個設けた例を示したが、本発明はこれに限らず、ＬＥＤを３個以下または５個以上設けてもよい。
【図面の簡単な説明】
【００４７】
【図１】本発明の一実施形態によるＬＣＤユニットの全体構成を示した斜視図である。
【図２】図１に示した２００−２００線に沿った断面図である。
【図３】図１に示した本発明の一実施形態によるＬＣＤユニットの分解斜視図である。
【図４】図１に示した本発明の一実施形態によるＬＣＤユニットのプリズムシートの拡大斜視図である。
【図５】図１に示した本発明の一実施形態によるＬＣＤユニットの表示パネルの拡大斜視図である。
【図６】従来の一例によるＬＣＤユニットの全体構成を示した斜視図である。
【図７】図６の３００−３００線に沿った断面図である。
【図８】図６に示した従来のＬＣＤユニットの分解斜視図である。
【符号の説明】
【００４８】
４  表示パネル
８  ＬＥＤ（バックライト用光源）
９  導光板
１０  拡散シート（第２拡散シート）
１１  プリズムシート（第１プリズムシート）
１１ａ  外形線
１１ｂ  １辺
１１ｃ  プリズム部（第１プリズム部）
１２  プリズムシート（第２プリズムシート）
１２ａ  外形線
１２ｂ  １辺
１２ｃ  プリズム部（第２プリズム部）
１３  拡散シート（第１拡散シート）
１５  接着部材  
【図１】
2006208869.tif 000003
【図２】
2006208869.tif 000004
【図３】
2006208869.tif 000005
【図４】
2006208869.tif 000006
【図５】
2006208869.tif 000007
【図６】
2006208869.tif 000008
【図７】
2006208869.tif 000009
【図８】
2006208869.tif 000010